【事件の表示】
　特願２００１−３８２９９４「画像読み取り装置、画像読取システム、制御装置、及びそれらの方法、記憶媒体」拒絶査定不服審判事件〔平成１４年　８月２３日出願公開、特開２００２−２３７９２９〕について、次のとおり審決する。
【結　論】
　本件審判の請求は、成り立たない。
【理　由】
１．手続きの経緯・本願発明
　本願は、平成９年５月１５日（優先権主張平成８年６月６日）に出願された特願平９−１２５５２３号の一部を平成１３年１２月１７日に新たな特許出願としたものであって、その請求項１に記載された発明（以下、「本願発明」という。） は、平成１７年１月１７日付けの手続補正書によって補正された明細書及び図面の記載からみて、その特許請求の範囲の請求項１に記載された次のとおりのものである。
　「【請求項１】　互いに異なる発光波長を有する複数の光源と、
　前記光源により照明された被写体像を光電変換する光電変換手段と、
　第１のモードと第２のモードとを切り換える切り換え手段と、
　前記切り換え手段により第１のモードが選択された場合及び前記切り換え手段により第２のモードが選択された場合の両方において、前記光電変換手段により第１のライン期間で蓄積された信号を読み出すよう制御する読み出し制御手段と、
　前記第１のモードにおいては、前記複数の光源をそれぞれ前記第１のライン期間ごとに順次点灯するよう点灯制御信号を供給し、前記第２のモードにおいては、前記第１のライン期間内に前記複数の光源を順次点灯するよう点灯制御信号を供給する点灯制御手段とを有し、
　前記点灯制御手段は前記第１のモードと第２のモードとで前記複数光源を点灯させるための点灯制御信号のデューティー比を変えず、第１のモードの点灯時間に比べて第２のモードの点灯時間を各光源ごとに同じ割合で短くして順次点灯するように変更することを特徴とする画像読み取り装置。」
 　 
２．引用例
（１）原査定の拒絶の理由に引用された特公平４−１１０６５号公報（以下、「刊行物１」という。）には、
　ア　「【特許請求の範囲】
１  読み取るべきカラー原稿を照射するための赤、緑、青の波長帯にそれぞれピーク値をもつ３個の蛍光灯と、この各蛍光灯の点灯回路と、上記原稿の実像を得る光学系と、その実像位置に配設された単一の光電変換素子と、カラーモードおよび白黒モードを択一的に選択するモード選択手段と、このモード選択手段による上記カラーモード選択時に上記各蛍光灯の発光による上記光電変換素子の各出力が同一レベルとなる発光時間の比で該各蛍光灯を順次切り換え発光させる各点灯信号を上記点灯回路に対し一定周期の転送パルスに同期して順次出力するとともに、上記白黒モード選択時に上記カラーモード時の各点灯信号による各蛍光灯の発光時間の各々の1/3の時間幅の各点灯信号を上記転送パルス毎に同時に出力する発光制御手段とを備えたことを特徴とする白黒モードを備えたカラー読み取り装置。」（１頁１欄１行〜１８行）、
　イ　「＜実施例＞
  第１図に本発明の全体構成図を示す。読み取るべき原稿１を照射するための赤、緑、青の３本の螢光灯２，３，４が配設され、ミラー５及び凸レンズ６より成る光学系により原稿の結像面に単一のCCDセンサ７が配設されている。CCDセンサ７の出力信号は、増幅回路８で増幅され、ホワイバランスの制御回路９に導入される。制御回路９はCCDセンサの制御と同期する所定のタイミングで螢光灯点灯回路１０に対し、第２図および第３図を参照して後述する点灯信号を出力する。点灯回路１０は各螢光灯をパルス発光される。制御回路９にはモード選択ボタン１１が接続されている。」（２頁３欄３２行〜４欄１行）、
　ウ　「  次に作用を説明する。
  第２図にカラーモード選択時のタイムチヤートを示す。CCDへの転送パルスΦTにより受光部の電荷がアナログシフトレジスタの各ビツトへ並列に転送され、その後、シフトレジスタにより直列に導出され、増幅回路８を経てCCD出力信号が読み出される。この転送パルスΦTと同期して赤の点灯信号TR、緑の点灯信号TG、青の点灯信号TBの順序で繰り返し制御回路９から出力されそれに従つて赤、緑、青の３本の螢光灯２，３，４が順次発光する。点灯信号TR，TG，TBの各々の出力時間幅Tron，Tgon，Tbonは、白色原稿を各々読み取つた時の各蛍光灯２，３，４の点灯によるCCDセンサ７の赤色信号、緑色信号および青色信号の各出力レベルが一定になるように決定されている。このような順次切換え発光により、CCDは転送パルスΦTで区切られた期間ごとに、赤、緑、青の分解色信号を出力する。
  第３図に白黒モード選択時のタイムチヤートを示す。このモードにおいて前述したカラーモードと異る点は、３個の螢光灯２，３，４に対して点灯信号TR，TG，TBがカラーモード時と同様の転送パルスΦTの出力毎に各々同時に出力されることと、各点灯信号TR，TG，TBの出力時間幅tr，tg，tbが、カラーモード時の各点灯進行TR，TG，TBの出力時間幅Tron，Tgon，Tbonに対し各々１／３に設定されていることである。即ち、
  tr＝Tron／３、tg＝Tgon／３、tb＝Tbon／３に設定されることである。その結果、白色原稿を読み取つた、場合のCCDセンサ７の出力レベルをカラー原稿読み取り時と同一レベルとすることができるので、アナグロ処理回路の定数を変更することなくCCDセンサ７の出力信号の処理を共通に行なつて原稿の走査速度をカラーモード選択時に比し３倍に高速化することができる。」（２頁４欄２行〜３６行）、
　エ　「＜発明の効果＞
  上述した通り、本発明によれば、単一のCCDセンサを用いるだけで、カラー読み取りと白黒読み取りのいずれをも行うことができ、単一のCCDセンサを用いているからCCDセンサ相互の位置合わせが不要であり、白黒モード用の特殊な部品を備える必要もなく、構成、製作工程ともに簡単化される。また、白黒モード選択時の走査速度がカラーモード選択時に比べて３倍に高速化され、しかも白黒モード選択時のCCDセンサの出力レベルをカラーモード時と同一にできるので、信号処理回路を共通化することができる。」（２頁４欄３７行〜３頁５欄４行）が記載されている。
　これらの記載ア〜エ及び図面第１図〜第３図によれば、刊行物１には、「読み取るべきカラー原稿１を照射するための赤、緑、青の波長帯にそれぞれピーク値をもつ３個の蛍光灯２，３，４と、この各蛍光灯の点灯回路１０と、上記原稿の実像を得る光学系６と、その実像位置に配設された単一の光電変換素子７と、カラーモードおよび白黒モードを択一的に選択するモード選択手段１１と、このモード選択手段１１による上記カラーモード選択時に上記各蛍光灯２，３，４の発光による上記光電変換素子７の各出力が同一レベルとなる発光時間の比で該各蛍光灯２，３，４を順次切り換え発光させる各点灯信号を上記点灯回路１０に対し一定周期の転送パルスΦTに同期して順次出力するとともに、上記白黒モード選択時に上記カラーモード時の各点灯信号による各蛍光灯２，３，４の発光時間の各々の１／３の時間幅の各点灯信号を上記転送パルスΦT毎に同時に出力する発光制御手段９とを備え、上記光電変換素子７への上記転送パルスΦTにより受光部の電荷がアナログシフトレジスタの各ビツトへ並列に転送され、その後、シフトレジスタにより直列に導出され、増幅回路８を経てＣＣＤ出力信号が読み出されることを特徴とする白黒モードを備えたカラー読み取り装置」の発明（以下、「引用発明」という。）が記載されている。
　
（２）原査定の拒絶の理由に引用された特開平４−１８３０６２号公報（以下、「刊行物２」という。）には、
　オ　「特許請求の範囲
１）複数色の光源と、１ラインの読取り周期内において前記複数色の光源の各々を順次点灯する点灯手段と、前記各光源光の原稿からの反射光を１ラインの読取り周期毎に蓄積するラインセンサとを具えたことを特徴とする画像読取装置。」（１頁左下欄４行〜９行）、
　カ　「［従来の技術］
　一般に、Ｒ（赤）、（緑）、Ｂ（青）の３色の光源を有し、これらを順次点灯することによりカラー原稿を読み取るカラー画像読取装置において、カラー原稿をモノクロ情報として読取る際は、Ｇ（緑）色の光源で代用するか、前記３色の光源を全て点灯して白色の光源と見なして読み取っていた。
［発明が解決しようとする課題］
　一般に、モノクロ情報として読み取る際は、カラー原稿上の全ての色の情報を漏れなく読み取ることが要求される。しかしながら、Ｇ（緑）色の光源で読み取った場合には読み取り不可能な色、即ちドロップアウトカラーが薄い黄色〜薄い青色となり、やや広いことが欠点であった。他の色Ｒ（赤）にしても薄めの赤色は読み取り不能であリ、Ｂ（青）にしても薄めの青色は読み取ることが出来ない。また、Ｒ／Ｇ／Ｂ３色の光源を全て点灯すれば理想的で全ての色を読み取ることが出来るが、３つの光源を同時に点灯するので電力消費が３倍になるという欠点があった。
　この発明は、上記のごとき事情に鑑みてなされたものであって、その目的とするところは、カラー画像からモノクロ画像読取り信号を得る際に読み取り不可能な色であるドロップアウトカラーを出来る限り少なくし、光源点灯による消費電力を１色分以上に増やすことなく多くの色を読み取り可能な画像読み取り装置を提供することにある。」（１頁右下欄４行〜３頁左上欄１３行）、
　キ　「［実施例］
　以下、図面を参照して本発明の実施例を詳細に説明する。
　第１図は典型的なＲ／Ｇ／Ｂ３色の光源を持つカラー画像読取装置の構成図である。同図において、原稿台ガラス１上の原稿２にＲ／Ｇ／Ｂの３色の光源（Ｒ，Ｇ，Ｂで示す）からの光が照射され、原稿２からの反射光５は、第１ミラー３と第２／第３ミラー４とで折り曲げられ、レンズ６を経てラインセンサ７上に結像される。第１ミラーは３色の光源と一体になって第１ミラーユニツト８を構成し、例えば図では右から左の方向へ移動（副走査）しながら原稿２上を走査（主走査）する。第１ミラーユニツト８の移動に連れ、第２／第３ミラー４からなる第２ミラーユニツトも光路長を一定に保つように第１ミラーユニツト８の移動距離の１／２の距離ずつ移動する。
　第２図の１−１は主走査１ラインの読み取り周期Ｔを示し、通常、単独の色で読み取る場合は、第２図の１−４に示すように光源を点灯させつづける。本発明では第２図の１−２に示すように、１ライン分の読み取り周期を２つに分け、１周期内に２つの色の光源、図の例ではＧ（緑）とＲ（赤）の２つの色の光源を点灯制御回路９によって順次点灯し、各光源点灯による原稿反射光をラインセンサ７に蓄積する。このように２種の光源を順次点灯させて１ライン分を読み取ることにより、同時点灯させるわけではないので消費電力を増すこと無く、出力レベルは低めになるが不感の色を最小にすることが出来る。２種の色の点灯期間は図のように同一の必要はなく適時必要に応じて変更してもよい。また、第２図の１−３に示すように３種の光源を順次切り替えて点灯させてもよい。」（２頁右上欄７行〜右下欄１行）が記載されている。
 　 
３．対比 
　そこで、本願発明と引用発明とを対比すると、引用発明の「赤、緑、青の波長帯にそれぞれピーク値をもつ３個の蛍光灯２，３，４」、「読み取るべきカラー原稿１」、「光電変換素子７」、「カラーモード」、「白黒モード」、「モード選択手段１１」、「発光制御手段９」、「受光部の電荷」、「点灯信号」、「発光時間」及び「カラー読み取り装置」は、本願発明の「互いに異なる発光波長を有する複数の光源」、「被写体」、「光電変換手段」、「第１のモード」、「第２のモード」、「切り換え手段」、「読み出し制御手段、点灯制御手段」、「蓄積された信号」、「点灯制御信号」、「点灯時間」及び「画像読み取り装置」に相当する。
　引用発明は、「一定周期の転送パルスΦT」により受光部の電荷がアナログシフトレジスタの各ビツトへ並列に転送され、その後、シフトレジスタにより直列に導出され、増幅回路８を経てＣＣＤ出力信号が読み出されるものであるから、転送パルスΦTにより定まる第１のライン期間で蓄積された信号を読み出すように制御されているといえる。そして、該第１のライン期間は、カラーモードおよび白黒モードの両方で同じといえ、カラーモードにおいては、赤、緑、青の波長帯にそれぞれピーク値をもつ３個の蛍光灯２，３，４はそれぞれ該第１のライン期間ごとに順次点灯し、白黒モードにおいては、赤、緑、青の波長帯にそれぞれピーク値をもつ３個の蛍光灯２，３，４は該第１のライン期間内で同時に点灯しているといえる（刊行物１の図面第２図、第３図）。
　引用発明は、上記白黒モード選択時に上記カラーモード時の各点灯信号による各蛍光灯２，３，４の発光時間の各々の１／３の時間幅の各点灯信号を上記転送パルスΦT毎に同時に出力する発光制御手段９とを備えているから、発光制御手段９はカラーモードと白黒モードとで赤、緑、青の波長帯にそれぞれピーク値をもつ３個の蛍光灯２，３，４を点灯させるための点灯信号のデューティー比を変えず、カラーモードの発光時間に比べて白黒モードの発光時間を各蛍光灯ごとに同じ割合（１／３）で短くして同時に点灯するように変更しているといえる。
　したがって、本願発明と引用発明は、「互いに異なる発光波長を有する複数の光源と、前記光源により照明された被写体像を光電変換する光電変換手段と、第１のモードと第２のモードとを切り換える切り換え手段と、前記切り換え手段により第１のモードが選択された場合及び前記切り換え手段により第２のモードが選択された場合の両方において、前記光電変換手段により第１のライン期間で蓄積された信号を読み出すよう制御する読み出し制御手段と、前記第１のモードにおいては、前記複数の光源をそれぞれ前記第１のライン期間ごとに順次点灯するよう点灯制御信号を供給し、前記第２のモードにおいては、前記第１のライン期間内に前記複数の光源を点灯するよう点灯制御信号を供給する点灯制御手段とを有し、前記点灯制御手段は前記第１のモードと第２のモードとで前記複数光源を点灯させるための点灯制御信号のデューティー比を変えず、第１のモードの点灯時間に比べて第２のモードの点灯時間を各光源ごとに同じ割合で短くして順次点灯するように変更することを特徴とする画像読み取り装置。」の点で一致し、以下の点で相違する。
　相違点１
　本願発明は、「前記第２のモードにおいては、前記第１のライン期間内に前記複数の光源を順次点灯する」のに対して、引用発明は、３個の蛍光灯２，３，４を同時点灯する点。
  
４．当審の判断 
　以下、相違点１について検討する。
　引用発明と同一技術分野に属する刊行物２には、従来技術で、「一般に、Ｒ（赤）、（緑）、Ｂ（青）の３色の光源を有し、これらを順次点灯することによりカラー原稿を読み取るカラー画像読取装置において、カラー原稿をモノクロ情報として読取る際は、Ｇ（緑）色の光源で代用するか、前記３色の光源を全て点灯して白色の光源と見なして読み取っていた。」とし、「複数色の光源と、１ラインの読取り周期内において前記複数色の光源の各々を順次点灯する点灯手段と、前記各光源光の原稿からの反射光を１ラインの読取り周期毎に蓄積するラインセンサとを具えたことを特徴とする画像読取装置」の発明が記載され、「第２図の１−３に示すように３種の光源を順次切り替えて点灯させてもよい。」との記載がある。
　そして、刊行物２に記載された発明の目的として、「光源点灯による消費電力を１色分以上に増やすことなく多くの色を読み取り可能な画像読み取り装置を提供する」ことを挙げているところ、画像読み取り装置の技術分野において、消費電力の改善は、当然の課題であると認められる。
　してみると、引用発明に上記刊行物２に記載された発明を採用し、同時点灯することに代え、「第２のモードにおいては、前記第１のライン期間内に前記複数の光源を順次点灯する」ことは、当業者が、容易になし得たことである。
 　  
５．むすび
　以上のとおり、本願発明は、刊行物１、２に記載された発明に基づき当業者が容易に発明することができたものであるから、特許法第２９条第２項の規定により特許を受けることができない。
　したがって、本願は、他の請求項に記載された発明について検討するまでもなく、拒絶されるべきものである。
　よって、結論のとおり審決する 。